(57)【要約】【課題】有用性を向上可能な測定装置、測定方法及びプログラムを提供する。【解決手段】測定装置１００は、被検者の体表温度を測定する体温測定部１１１と、被検者の体表温度が第１の温度閾値を超えた場合に、報知部１７０から退浴を推奨する第１の報知を出力させる制御部１３０と、を備える。【選択図】図１
2019072240.tif 000002
【特許請求の範囲】
【請求項１】
被検者の体表温度を測定する体温測定部と、
前記被検者の体表温度が第１の温度閾値を超えた場合に、報知部から退浴を推奨する第１の報知を出力させる制御部と、
を備える測定装置。
【請求項２】
前記制御部は、前記被検者の深部体温に基づいて前記第１の温度閾値を算出する、請求項１に記載の測定装置。
【請求項３】
被検者が入浴する湯の温度を測定する湯温測定部をさらに備え、
前記制御部は、前記湯の温度に基づいて前記第１の温度閾値を算出する、請求項１に記載の測定装置。
【請求項４】
被検者が入浴する湯の温度を測定する湯温測定部をさらに備え、
前記制御部は、前記湯の温度と前記被検者の深部体温との比較に基づき、前記報知部から前記比較の結果に関する情報を出力させる、請求項１に記載の測定装置。
【請求項５】
前記被検者の血流量を測定する血流センサをさらに備え、
前記制御部は、前記被検者の体表温度が第１の温度閾値を超え、且つ、前記被検者の血流量が所定の血流量閾値を超えた場合に、前記報知部から前記第１の報知を出力させる、
請求項１に記載の測定装置。
【請求項６】
前記制御部は、前記被検者の体表温度が、前記第１の温度閾値よりも高い第２の温度閾値を超えた場合に、前記報知部から退浴を推奨する第２の報知を出力させる、請求項５に記載の測定装置。
【請求項７】
前記被検者が当該測定装置の装着状態を維持するための装着部をさらに備える、請求項１に記載の測定装置。
【請求項８】
測定装置による測定方法であって、
被検者の体表温度を測定するステップと、
前記被検者の体表温度が第１の温度閾値を超えたか否かを判定するステップと、
前記被検者の体表温度が第１の温度閾値を超えたと判定した場合に、報知部から退浴を推奨する第１の報知を出力するステップと、
を含む測定方法。
【請求項９】
コンピュータに、
被検者の体表温度を測定するステップと、
前記被検者の体表温度が第１の温度閾値を超えたか否かを判定するステップと、
前記被検者の体表温度が第１の温度閾値を超えたと判定した場合に、報知部から退浴を推奨する第１の報知を出力するステップと、
を実行させるプログラム。
【発明の詳細な説明】
【技術分野】
【０００１】
本開示は、測定装置、測定方法及びプログラムに関する。
【背景技術】
【０００２】
従来、睡眠障害を改善するために使用することができる入浴情報システムが知られている。例えば、特許文献１には、入浴条件を提示する提示手段が、浴室もしくはその近傍箇所に設けられている入浴情報システムが開示されている。
【先行技術文献】
【特許文献】
【０００３】
【特許文献１】特開２００３−２２５２７６号公報
【発明の概要】
【発明が解決しようとする課題】
【０００４】
入眠のしやすさは、退浴するタイミングによっても影響を受け得る。そのため、入眠しやすくなるような退浴のタイミングを知ることができれば、有用性が向上する。
【０００５】
本開示の目的は、有用性を向上可能な測定装置、測定方法及びプログラムを提供することにある。
【課題を解決するための手段】
【０００６】
測定装置の一態様は、体温測定部と、制御部と、を備える。前記体温測定部は、被検者の体表温度を測定する。前記制御部は、前記被検者の体表温度が第１の温度閾値を超えた場合に、報知部から退浴を推奨する第１の報知を出力させる。
【０００７】
測定方法の一態様は、測定装置による測定方法である。前記測定方法は、被検者の体表温度を測定するステップと、前記被検者の体表温度が第１の温度閾値を超えたか否かを判定するステップと、前記被検者の体表温度が第１の温度閾値を超えたと判定した場合に、報知部から退浴を推奨する第１の報知を出力するステップと、を含む。
【０００８】
プログラムの一態様は、コンピュータに、被検者の体表温度を測定するステップと、前記被検者の体表温度が第１の温度閾値を超えたか否かを判定するステップと、前記被検者の体表温度が第１の温度閾値を超えたと判定した場合に、報知部から退浴を推奨する第１の報知を出力するステップと、を実行させる。
【発明の効果】
【０００９】
本開示によれば、有用性を向上可能な測定装置、測定方法及びプログラムを提供できる。
【図面の簡単な説明】
【００１０】
【図１】一実施形態に係る測定装置の概略構成を示す機能ブロック図である。
【図２】図１の測定装置の側面視の一例を示す概略図である。
【図３】図２の測定装置の本体の裏面の一例を示す概略図である。
【図４】図２の測定装置を装着した状態の一例を模式的に示す図である。
【図５】図１の制御部が実行する処理の一例を示すフローチャートである。
【図６】一実施形態に係る測定システムの概略構成を示す機能ブロック図である。
【発明を実施するための形態】
【００１１】
以下、実施形態について、図面を参照して詳細に説明する。
【００１２】
図１は、一実施形態に係る測定装置１００の概略構成を示す機能ブロック図である。本実施形態に係る測定装置１００は、温度センサ１１０と、血流センサ１２０と、制御部１３０と、記憶部１４０と、通信部１５０と、入力部１６０と、報知部１７０とを備える。
【００１３】
測定装置１００は、被検者（ユーザ）が、例えば入浴時等に装着して用いる装置である。測定装置１００は、温度センサ１１０が備える体温測定部１１１により被検者の体表温度を測定し、体表温度に基づいて、報知部１７０から情報を報知する。本実施形態では、測定装置１００は、入浴時における被検者の体表温度を測定し、体表温度に基づいて、退浴を推奨するタイミングを判定し、退浴を推奨するタイミングになったとき、退浴を推奨する報知を出力する。
【００１４】
温度センサ１１０は、温度を測定する。温度センサ１１０は、例えば図１に示すように、体温測定部１１１と、湯温測定部１１２とを備える。体温測定部１１１及び湯温測定部１１２は、例えば、それぞれ熱電対、サーミスタ、バイメタル等の周知の温度センサにより構成されていてよい。
【００１５】
体温測定部１１１は、被検者の体表温度を測定する。体温測定部１１１は、測定装置１００において、例えば測定装置１００の装着時に被検者の体表面（皮膚）に接触する位置に配置される。体温測定部１１１は、測定した体表温度に関する情報を、制御部１３０に送信する。
【００１６】
湯温測定部１１２は、被検者が入浴する湯の温度（湯温）を測定する。湯温測定部１１２は、測定装置１００において、例えば被検者が浴槽で湯に浸かっている状態において、被検者が入浴する湯の温度を測定可能な位置に配置される。湯温測定部１１２は、測定した湯温に関する情報を、制御部１３０に送信する。
【００１７】
血流センサ１２０は、被検者の血流量を測定する。血流センサ１２０は、測定装置１００において、例えば測定装置１００の装着時に被検者の体表面に接触する位置に配置される。血流センサ１２０は、測定機構として発光部１２１及び受光部１２２を備える。発光部１２１は、測定装置１００の装着時に接触している被検者の部位（被検部位）に測定光を照射する。受光部１２２は、照射された測定光に対する被検部位の内部の組織から反射光（散乱光）を取得する。受光部１２２で受光された散乱光の光電変換信号は、測定装置１００が備える制御部１３０に送信される。
【００１８】
発光部１２１は、例えばレーザ光を射出する。発光部１２１は、例えば、血液中に含まれる所定の成分を検出可能な波長のレーザ光を、測定光として被検部位に照射する。発光部１２１は、例えば１つのＬＤ（レーザダイオード：Ｌａｓｅｒ  Ｄｉｏｄｅ）により構成される。
【００１９】
受光部１２２は、生体情報として、被検部位からの測定光の散乱光を受光する。受光部１２２は、例えば、ＰＤ（フォトダイオード：Ｐｈｏｔｏ  ｄｉｏｄｅ）により構成される。受光部１２２は、受光した散乱光の光電変換信号を、制御部１３０に送信する。制御部１３０は、光電変換信号に基づき、被検者の被検部位における血流量を算出する。制御部１３０による血流量の算出処理の詳細については後述する。
【００２０】
制御部１３０は、測定装置１００の各機能ブロックをはじめとして、測定装置１００の全体を制御及び管理する少なくとも１つのプロセッサ１３１を含む。制御部１３０は、制御手順を規定したプログラムを実行するＣＰＵ（Central Processing Unit）等の少なくとも１つのプロセッサ１３１を含んで構成され、その機能を実現する。このようなプログラムは、例えば記憶部１４０、又は測定装置１００に接続された外部の記憶媒体等に格納される。
【００２１】
種々の実施形態によれば、少なくとも１つのプロセッサ１３１は、単一の集積回路（ＩＣ）として、又は複数の通信可能に接続された集積回路ＩＣ及び／又はディスクリート回路（discrete circuits）として実行されてもよい。少なくとも１つのプロセッサ１３１は、種々の既知の技術に従って実行されることが可能である。
【００２２】
一実施形態において、プロセッサ１３１は、例えば、関連するメモリに記憶された指示を実行することによって１以上のデータ計算手続又は処理を実行するように構成された１以上の回路又はユニットを含む。他の実施形態において、プロセッサ１３１は、１以上のデータ計算手続き又は処理を実行するように構成されたファームウェア（例えば、ディスクリートロジックコンポーネント）であってもよい。
【００２３】
種々の実施形態によれば、プロセッサ１３１は、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組合せ、又は他の既知のデバイス若しくは構成の組合せを含み、以下に説明される制御部１３０としての機能を実行してもよい。
【００２４】
制御部１３０は、血流センサ１２０から受信した散乱光の光電変換信号に基づき、被検者の被検部位における血流量を算出する。制御部１３０は、例えばドップラーシフトを利用して血流量を測定する。ここで、ドップラーシフトを利用した血流量測定技術について説明する。
【００２５】
生体の組織内において、動いている血球から散乱された散乱光は、血液中の血球の移動速度に比例したドップラー効果による周波数シフト（ドップラーシフト）を受ける。制御部１３０は、静止した組織からの散乱光と、動いている血球からの散乱光との光の干渉によって生じるうなり信号（ビート信号ともいう）を検出する。このうなり信号は、強度を時間の関数として表したものである。制御部１３０は、このうなり信号を、パワーを周波数の関数として表したパワースペクトルにする。このうなり信号のパワースペクトルでは、ドップラーシフト周波数は血球の速度に比例する。また、このうなり信号のパワースペクトルでは、パワーは血球の量に対応する。制御部１３０は、うなり信号のパワースペクトルに周波数をかけて積分することにより血流量を求める。
【００２６】
制御部１３０は、体温測定部１１１から取得した体表温度に関する情報に基づき、退浴を推奨するタイミングになったか否かを判定する。制御部１３０は、退浴を推奨するタイミングになったと判定したとき、報知部１７０から退浴を推奨する報知を出力する。制御部１３０は、被検者の体表温度に加え、算出した血流量に基づいて、退浴を推奨するタイミングになったか否かを判定してもよい。制御部１３０が実行する処理の詳細については、後述する。なお、本明細書において、退浴を推奨する報知を出力することを、以下「退浴通知を行う」とも記載する。
【００２７】
記憶部１４０は、半導体メモリ又は磁気メモリ等で構成されることができる。記憶部１４０は、各種情報及び／又は測定装置１００を動作させるためのプログラム等を記憶する。記憶部１４０は、ワークメモリとしても機能してもよい。記憶部１４０は、例えば、体温測定部１１１が測定した被検者の体表温度、及び、血流センサ１２０が受光した散乱光に基づいて算出された被検者の血流量を記憶してよい。
【００２８】
通信部１５０は、他の装置と通信を行うことにより、各種情報の送受信を行う。通信部１５０は、無線、有線、又は無線と有線との組合せによるネットワークを用いて情報の送受信を行うことができる。通信部１５０は、例えばBluetooth（登録商標）、赤外線、ＮＦＣ（Near Field Radio Communication）、無線ＬＡＮ（Local Area Network）、有線ＬＡＮ若しくはその他任意の通信媒体又はこれらの任意の組み合わせにより通信を行うことができる。通信部１５０は、例えば後述する深部体温計から、当該深部体温計が測定した深部体温に関する情報を取得できる。深部体温は、体の内部の体温である。
【００２９】
入力部１６０は、被検者からの操作入力を受け付けるものであり、例えば、操作ボタン（操作キー）から構成される。入力部１６０は、例えばタッチスクリーンにより構成され、表示デバイスの一部に被検者からの操作入力を受け付ける入力領域を表示して、被検者によるタッチ操作入力を受け付けてもよい。
【００３０】
報知部１７０は、音、振動、及び画像等で情報を報知する。報知部１７０は、スピーカ及び振動子等を含んで構成されていてよい。報知部１７０は、例えば、制御部１３０の制御に基づき、退浴を推奨するタイミングとなったとき、退浴通知を行う。
【００３１】
図２は、測定装置１００の側面視の一例を示す概略図である。図２に示すように、測定装置１００は、本体１８０と、装着部１９０とを備える。
【００３２】
本体１８０は、図１を参照して説明した各機能部を備える。本体１８０は、例えば防水構造を有していてよい。本体１８０は、被検者が測定装置１００を装着した状態において、被検者の体表に接触する裏面１８２と、裏面１８２の反対側の表面１８１とを備える。例えば、入力部１６０は、表面１８１側に設けられていてよい。
【００３３】
図３は、測定装置１００の本体１８０の裏面１８２の一例を示す概略図である。図３に示すように、測定装置１００は、例えば本体１８０の裏面１８２に、体温測定部１１１と、発光部１２１と、受光部１２２とを備える。このような配置により、被検者が測定装置１００を装着した状態で、体温測定部１１１が、被検者の体表面に接触し、被検者の体表温度を測定することができる。また、このような配置により、被検者が測定装置１００を装着した状態で、発光部１２１が被検部位に測定光を照射し、受光部１２２が被検部位からの反射光を受光できる。
【００３４】
図３に示すように、測定装置１００は、例えば本体１８０の裏面１８２に、報知部１７０を備えていてよい。例えば報知部１７０が振動子を含んで構成され、振動により報知を行う場合、図３に示す配置により、報知部１７０が被検者の体表面に接触するため、被検者は報知部１７０の振動を感知しやすくなる。
【００３５】
再び図２を参照すると、装着部１９０は、被検者が測定装置１００の装着状態を維持するための機構である。装着部１９０は、例えば被検者が、手首、足首又は腕等に巻きつけて装着可能なバンド等として構成されている。装着部１９０は、被検者が着脱可能に構成されていてよい。例えば、被検者は、図４に模式的に示すように、装着部１９０を手首に巻きつけることにより、測定装置１００を装着することができる。
【００３６】
次に、測定装置１００の制御部１３０が実行する処理の一例について説明する。制御部１３０は、入浴している被検者に対し、退浴を推奨するタイミングになったときに、退浴通知を行う。退浴を推奨するタイミングは、例えば被検者の体が入眠しやすい状態となったと制御部１３０が判定したタイミングである。被検者の体が入眠しやすい状態は、例えば、被検者が眠ろうとして床についてから実際に入眠するまでの、いわゆる入眠潜時が短くなりやすい状態である。
【００３７】
人の脳は、入眠するときに副交感神経を亢進させる。副交感神経は、脳の温度を下げるために、深部の温度を外部に逃がすように作用する。具体的には、副交感神経は、末梢の血管を拡張して、外郭（つまり皮膚の付近）に深部の熱を移動させる。末梢の血管では、皮膚と空気とが触れ合うことにより、血液中の熱が放散される。また、外郭では、血液を介して深部から運ばれた熱により、発汗が促され、汗が蒸発することによって、血液中の熱が放散される。このようにして、深部体温が下げられる。すなわち、人は、深部体温が上がりすぎず、末梢の血管が拡張されて放熱されやすい状態となっていると、入眠しやすく、入眠潜時が短くなりやすい。
【００３８】
ところで、人は体温よりもやや高い温度（例えば３９度前後）で入浴すると、副交感神経が亢進され、末梢の血管が拡張する。一方、体温よりも高い温度で長時間入浴したり、体温と比較して高すぎる温度の湯で入浴したりすると、深部体温が上がりすぎたり、交感神経が亢進されて末梢の血管が収縮したりする。これらの事情に鑑みると、入浴により末梢の血管が拡張し、且つ、深部体温が上がりすぎていないタイミングで退浴すると、末梢の血管が拡張された状態で、且つ、退浴後に深部体温を適度に下げることができるため、人は入眠しやすくなる。そこで、本実施形態に係る測定装置１００の制御部１３０は、末梢の血管が拡張されつつ、深部体温が上がりすぎないタイミングで、退浴通知を行う。この退浴通知を行ったタイミングで、被検者が退浴した場合には、上述した理由から、被検者は入眠しやすくなる。
【００３９】
測定装置１００の制御部１３０が実行する処理の一例について、図５に示すフローチャートを参照して、具体的に説明する。図５に示すフローは、例えば被検者が、測定装置１００を装着して、処理の実行を開始させるための入力操作を測定装置１００に対して行ったときに開始される。図５に示すフローの開始時点において、被検者は入浴を行う前の状態である。
【００４０】
制御部１３０は、被検者の深部体温Ｔ０を取得する（ステップＳ１１）。取得された深部体温Ｔ０は、例えば記憶部１４０に記憶されてよい。
【００４１】
制御部１３０は、多様な方法により、被検者の深部体温Ｔ０を取得することができる。例えば、被検者は、公知の深部体温計を用いて深部体温Ｔ０を測定し、測定装置１００の入力部１６０を用いて測定した深部体温Ｔ０を測定装置１００に入力する。制御部１３０は、入力部１６０からの入力を受け付けることにより、深部体温Ｔ０を取得することができる。深部体温計は、例えば赤外線センサで被検者の耳内から放射される赤外線量を測定する方式のものを使用することができる。深部体温計は、被検者の深部体温を測定可能な体温計であれば、この方式以外の方式を用いるものであってよい。
【００４２】
深部体温計が通信機能を有する場合、制御部１３０は、通信部１５０を介して、深部体温計が測定した被検者の深部体温Ｔ０を、深部体温計から受信することにより、深部体温Ｔ０を取得してもよい。
【００４３】
制御部１３０は、環境温度Ｔｅを取得する（ステップＳ１２）。取得された環境温度Ｔｅは、例えば記憶部１４０に記憶されてよい。
【００４４】
環境温度Ｔｅは、被検者がいる空間の温度（気温）である。被検者が、例えば入浴する前に自分の部屋にいる場合には、環境温度Ｔｅは、当該自分の部屋の温度である。環境温度Ｔｅは、被検者が睡眠する部屋（例えば寝室）であってもよい。
【００４５】
制御部１３０は、多様な方法により、環境温度Ｔｅを取得することができる。例えば、室内に設置された温度計が示す環境温度Ｔｅを、被検者が測定装置１００の入力部１６０を用いて入力する。制御部１３０は、入力部１６０からの入力を受け付けることにより、環境温度Ｔｅを取得することができる。あるいは、室内に設置された温度計が通信機能を有する場合、制御部１３０は、通信部１５０を介して、温度計が測定した環境温度Ｔｅを、温度計から受信することにより、環境温度Ｔｅを取得してもよい。あるいは、制御部１３０は、温度センサ１１０により環境温度Ｔｅを測定することにより、環境温度Ｔｅを取得してもよい。
【００４６】
制御部１３０は、入浴前の血流量Ｑ０を取得する（ステップＳ１３）。具体的には、制御部１３０は、発光部１２１を制御して、測定装置１００を装着した被検者の被検部位に、測定光を照射する。制御部１３０は、受光部１２２で受光された散乱光の光電変換信号を、受光部１２２から取得する。制御部１３０は、取得した光電変換信号に基づき、上述したドップラーシフトの原理を用いて血流量を測定することにより、血流量Ｑ０を取得できる。
【００４７】
制御部１３０による、深部体温Ｔ０、環境温度Ｔｅ及び血流量Ｑ０の取得が完了すると、被検者は入浴する。制御部１３０は、深部体温Ｔ０、環境温度Ｔｅ及び血流量Ｑ０の取得が完了した場合、これらの情報の取得が完了したことを示す報知を、報知部１７０から出力してもよい。この報知により、被検者は、入浴が可能となったことを知ることができる。
【００４８】
被検者が入浴を開始すると、制御部１３０は、被検者が入浴する湯の湯温Ｔｗを取得する（ステップＳ１４）。具体的には、制御部１３０は、湯温測定部１１２が測定した湯温Ｔｗを取得する。
【００４９】
制御部１３０は、第１の温度閾値Ｔｓを算出する（ステップＳ１５）。第１の温度閾値Ｔｓは、被検者の深部体温が所定以上上昇したと推定できる、体表温度に関する閾値である。制御部１３０は、予め定められた数式を用いて、第１の温度閾値Ｔｓを算出することができる。本実施形態における、深部体温が所定以上上昇したと推定するための第１の温度閾値Ｔｓは、退浴した後の体温低下により血流が悪化することを防ぐために設けられるものである。すなわち、退浴してから入眠するまでの時間における被検者の体温低下を考慮して、第１の温度閾値が設けられている。
【００５０】
例えば、制御部１３０は、次の式（１）を用いて第１の温度閾値Ｔｓを算出することができる。
Ｔｓ＝Ｔ０＋Ｔ（Ｔｗ，Ｔｅ）・・・（１）
式（１）において、Ｔ０はステップＳ１１で取得した入浴前の深部体温Ｔ０であり、ＴｅはステップＳ１２で取得した環境温度Ｔｅであり、ＴｗはステップＳ１４で取得した湯温Ｔｗである。式（１）において、Ｔ（Ｔｗ，Ｔｅ）は、湯温Ｔｗ及び環境温度Ｔｅを用いて表される、温度に関する関数である。
【００５１】
式（１）におけるＴ（Ｔｗ，Ｔｅ）は、例えばＴ（Ｔｗ，Ｔｅ）＝ＴＣ１×（Ｔｗ−Ｔｅ）であってよい。ここで、ＴＣ１は、例えば正の定数である。この場合、湯温Ｔｗの方が環境温度Ｔｅよりも高いとすると、Ｔ（Ｔｗ，Ｔｅ）は、湯温Ｔｗと環境温度Ｔｅとの差が大きいほど、大きくなる。つまり、湯温Ｔｗが一定であるとすると、環境温度Ｔｅが低いほど、第１の温度閾値Ｔｓは、大きくなる。つまり、環境温度Ｔｅが低いほど、被検者の体表温度は、第１の温度閾値Ｔｓに達しにくくなる。
【００５２】
制御部１３０が用いる数式は、式（１）で示したものに限られない。例えば、制御部１３０は、次の式（２）を用いて第１の温度閾値Ｔｓを算出してもよい。
Ｔｓ＝Ｔ０＋ＴＣ２・・・（２）
式（２）において、ＴＣ２は、例えば正の定数である。ＴＣ２は、例えば１．５［℃］等とすることができる。制御部１３０が式（２）を用いる場合、第１の温度閾値Ｔｓとして、被検者の入浴前の深部体温Ｔ０よりも所定値ＴＣ２高い値が算出される。
【００５３】
次に、制御部１３０は、血流量閾値Ｑｓを算出する（ステップＳ１６）。血流量閾値Ｑｓは、被検者の血流量が所定量を超えたか否かを判定するために用いられる、血流量に関する閾値である。制御部１３０は、予め定められた数式を用いて、血流量閾値Ｑｓを算出することができる。
【００５４】
例えば、制御部１３０は、次の式（３）を用いて血流量閾値Ｑｓを算出することができる。
Ｑｓ＝Ｑ０＋Ｑ（Ｔｗ，Ｔｅ）・・・（３）
式（３）において、Ｑ０は、ステップＳ１３で取得した入浴前の血流量Ｑ０である。式（３）において、Ｑ（Ｔｗ，Ｔｅ）は、湯温Ｔｗ及び環境温度Ｔｅを用いて表される、血流量に関する関数である。
【００５５】
式（３）におけるＱ（Ｔｗ，Ｔｅ）は、例えばＱ（Ｔｗ，Ｔｅ）＝ＱＣ１×（Ｔｗ−Ｔｅ）であってよい。ここで、ＱＣ１は、例えば正の定数である。この場合、湯温Ｔｗの方が環境温度Ｔｅよりも高いとすると、Ｑ（Ｔｗ，Ｔｅ）は、湯温Ｔｗと環境温度Ｔｅとの差が大きいほど、大きくなる。つまり、湯温Ｔｗが一定であるとすると、環境温度Ｔｅが低いほど、血流量閾値Ｑｓは、大きくなる。つまり、環境温度Ｔｅが低いほど、被検者の血流量は、血流量閾値Ｑｓに達しにくくなる。
【００５６】
制御部１３０が用いる数式は、式（３）で示したものに限られない。例えば、制御部１３０は、次の式（４）を用いて血流量閾値Ｑｓを算出してもよい。
Ｑｓ＝ＱＣ２×Ｑ０・・・（４）
式（４）において、ＱＣ２は、例えば正の定数である。ＱＣ２は、例えば１．１等とすることができる。制御部１３０が式（４）を用いる場合、血流量閾値Ｑｓとして、被検者の入浴前の血流量Ｑ０よりも所定値の割合ＱＣ２高い値が算出される。
【００５７】
ステップＳ１５で算出された第１の温度閾値Ｔｓ及びステップＳ１６で算出された血流量閾値Ｑｓは、例えば記憶部１４０に記憶されてよい。
【００５８】
次に、制御部１３０は、被検者の体表温度Ｔを取得する（ステップＳ１７）。具体的には、制御部１３０は、体温測定部１１１から、検出された体表温度Ｔを取得する。
【００５９】
次に、制御部１３０は、ステップＳ１７で取得した体表温度Ｔが、ステップＳ１５で算出した第１の温度閾値Ｔｓよりも高いか否かを判定する（ステップＳ１８）。
【００６０】
制御部１３０は、体表温度Ｔが第１の温度閾値Ｔｓ以下であると判定した場合（ステップＳ１８のＮｏ）、ステップＳ１７で取得した体表温度Ｔが第２の温度閾値Ｔｄよりも高いか否かを判定する（ステップＳ１９）。第２の温度閾値Ｔｄは、被検者の深部体温が所定の温度以上に達したと推定できる、体表温度に関する閾値である。深部体温が上昇し過ぎると、被検者が入眠しやすい程度まで深部体温が下がりにくくなる可能性がある。第２の温度閾値Ｔｄは、深部体温が、被検者が入眠しにくくなるほどまでに上昇しているか否かを判定するために用いられる温度閾値である。第２の温度閾値Ｔｄは、第１の温度閾値Ｔｓよりも高くてよい。第２の温度閾値Ｔｄは、例えば予め所定の値として定められて、記憶部１４０に記憶されていてよい。第２の温度閾値Ｔｄは、例えば、制御部１３０によって、所定のアルゴリズムを用いて算出されてもよい。
【００６１】
制御部１３０は、体表温度Ｔが第２の温度閾値Ｔｄよりも高いと判定した場合（ステップＳ１９のＹｅｓ）、報知部１７０から退浴通知を行う（ステップＳ２２）。この場合、退浴通知を受けた被検者は、通知に従い退浴することにより、深部体温が上昇し過ぎることを防止しやすくなる。つまり、制御部１３０は、被検者が長く入浴していることに起因する被検者の体温の過度な上昇を被検者に通知することができる。
【００６２】
一方、制御部１３０は、体表温度Ｔが第２の温度閾値Ｔｄ以下であると判定した場合（ステップＳ１９のＮｏ）、フローのステップＳ１７に移行する。
【００６３】
ステップＳ１８において、制御部１３０は、体表温度Ｔが第１の温度閾値Ｔｓよりも高いと判定した場合（ステップＳ１８のＹｅｓ）、被検者の血流量Ｑを取得する（ステップＳ２０）。具体的には、制御部１３０は、血流センサ１２０から取得した光電変換信号に基づき、上述したドップラーシフトの原理を用いて血流量を測定することにより、血流量Ｑを取得できる。
【００６４】
制御部１３０は、ステップＳ２０で取得した血流量Ｑが、血流量閾値Ｑｓよりも高いか否かを判定する（ステップＳ２１）。
【００６５】
制御部１３０は、血流量Ｑが血流量閾値Ｑｓ以下であると判定した場合（ステップＳ２１のＮｏ）、フローのステップＳ１７に移行する。このようにして、制御部１３０は、血流量Ｑが血流量閾値Ｑｓを超えるまで、ステップＳ１７以降のフローを繰り返す。
【００６６】
制御部１３０は、血流量Ｑが血流量閾値Ｑｓよりも高いと判定した場合（ステップＳ２１のＹｅｓ）、報知部１７０から退浴通知を行う（ステップＳ２２）。この場合、退浴通知を受けた被検者は、通知に従い退浴することにより、体表温度Ｔが所定以上上昇し、かつ、血流量Ｑが所定以上上昇して血流が促進された状態で、退浴できる。また、この場合、退浴通知を受けた被検者は、通知に従い退浴することにより、深部体温が上がりすぎる前に退浴することができる。すなわち、入眠しにくくなるほど体温が上昇することを防止しやすくなる。なお、ステップＳ２２における退浴通知は、ステップＳ２１でＹｅｓと判定された場合と、ステップＳ１９でＹｅｓと判定された場合とで異なる退浴通知としてもよい。例えば、ステップＳ２１でＹｅｓと判定された場合の退浴通知は、単に退浴を促す退浴通知であり、ステップＳ１９でＹｅｓと判定された場合の退浴通知は、被検者の危険を報知する内容を含む退浴通知であってよい。
【００６７】
被検者は、退浴した後、血管が拡張されている状態であり、深部体温が下がってくると副交感神経が亢進される。すなわち、被検者は、深部体温が所定の温度低くなる所定時間後に入眠しやすくなる。
【００６８】
被検者は、退浴した後に、再度深部体温計を用いて深部体温を測定してもよい。この場合、深部体温計、又は深部体温計と通信可能な他の機器（測定装置１００を含む）は、深部体温計が測定した退浴後の深部体温に基づいて、被検者が入眠しやすくなる時間を推定（算出）してよい。例えば、深部体温計又は他の機器は、環境温度Ｔｅと、退浴後に測定された深部体温とに基づいて、被検者が入眠しやすくなる時間を推定してよい。例えば、深部体温計又は他の機器は、環境温度Ｔｅに基づき、退浴後に測定された深部体温が、入浴前に測定された深部体温に下がるまでの時間を算出し、当該算出した時間を、被検者が入眠しやすくなる時間と推定してよい。深部体温計又は他の機器は、推定した時間を、被検者に報知してもよい。これにより、被検者は、入眠しやすい時間を知ることができる。
【００６９】
このように、本実施形態に係る測定装置１００は、体表温度Ｔが第１の温度閾値Ｔｓを超え、かつ、血流量Ｑが血流量閾値Ｑｓを超えた場合に、退浴通知を行う。これにより、被検者は、体表温度Ｔが所定以上上昇し、かつ、血流量Ｑが所定以上上昇して血流が促進された状態で、退浴できる。そのため、被検者は、退浴してから深部体温が所定の温度低くなる所定時間後に入眠しやすくなる。このようにして、測定装置１００によれば、有用性を向上可能である。
【００７０】
本開示を完全かつ明瞭に開示するためにいくつかの実施形態に関し説明してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。また、いくつかの実施形態に示した各要件は、自由に組み合わせが可能である。
【００７１】
例えば、上記実施形態において、測定装置１００は、体表温度Ｔが第１の温度閾値Ｔｓを超え、かつ、血流量Ｑが血流量閾値Ｑｓを超えた場合に、退浴通知を行うと説明した。しかしながら、測定装置１００は、必ずしも体表温度Ｔと血流量Ｑとに基づいて退浴通知を行わなくてもよい。例えば、測定装置１００は、体表温度Ｔのみに基づいて退浴通知を行ってもよい。つまり、測定装置１００は、体表温度Ｔが第１の温度閾値Ｔｓを超えた場合に退浴通知を行ってもよい。生体の体温と血流との間には、所定の相関関係があり、体表温度Ｔが上昇すると、血流量Ｑも上昇していることが推定される。そのため、測定装置１００が体表温度Ｔのみに基づいて退浴通知を行った場合であっても、所定の血流量の増加が見込まれる。このように、体表温度Ｔのみに基づいて退浴通知を行う場合には、測定装置１００は、血流センサ１２０を備えていなくてよいため、測定装置１００の構造を簡素化することができる。
【００７２】
上記実施形態において、測定装置１００は、湯温測定部１１２が測定した湯温Ｔｗに基づいて、湯温Ｔｗが適切な温度であるか否かを判定してもよい。例えば、測定装置１００の制御部１３０は、図５のフローのステップＳ１１で取得した入浴前の深部体温Ｔ０と、ステップＳ１４で取得した湯温Ｔｗとを比較する。制御部１３０は、報知部１７０から比較の結果に関する情報を報知する。比較の結果に関する情報は、例えば湯温Ｔｗが適切な温度であるか否かである。
【００７３】
ここで、適切な湯温Ｔｗは、被検者の深部体温Ｔ０が上昇しやすい湯温を含んでよい。例えば、湯温Ｔｗが深部体温Ｔ０以下である場合には、被検者が入浴しても深部体温Ｔ０が上昇しない。湯温Ｔｗが深部体温Ｔ０より高い場合には、被検者が入浴すると深部体温Ｔ０が上昇する。従って、制御部１３０は、例えば、湯温Ｔｗが深部体温Ｔ０より高い場合に湯温Ｔｗが適切であると判定し、湯温Ｔｗが深部体温Ｔ０以下である場合に湯温Ｔｗが適切でないと判定する。
【００７４】
適切な湯温Ｔｗは、被検者の血管が拡張しやすい湯温を含んでもよい。例えば、湯温Ｔｗが所定の湯温より高い場合には、被検者の交感神経が亢進され、血管が収縮する。そのため、制御部１３０は、例えば、湯温Ｔｗが当該所定の湯温より高い場合に湯温Ｔｗが適切でないと判定し、湯温Ｔｗが当該所定の湯温以下である場合に湯温Ｔｗが適切であると判定する。
【００７５】
適切な湯温Ｔｗは、ここに記載した例に限られず、退浴後に被検者が入眠しやすい状態にすることが可能な温度であればよい。
【００７６】
被検者は、湯温Ｔｗが適切でないという報知を受けた場合、例えば湯温Ｔｗを変更（調整）する等の対応を行うことができる。
【００７７】
上記実施形態に係る測定装置１００は、他の情報処理装置と情報通信可能に接続されていてもよい。図６は、一実施形態に係る測定システム３００の概略構成を示す機能ブロック図である。図６に示す測定システム３００は、測定装置１００と、情報処理装置２００とを備える。測定装置１００と、情報処理装置２００とは、互いに通信可能に接続されている。測定装置１００が備える機能ブロックは、上記実施形態で説明したものと同様であるため、ここでは詳細な説明を省略する。
【００７８】
情報処理装置２００は、例えばコンピュータで構成される。情報処理装置２００は、測定装置１００から各種情報を取得し、取得した情報を記憶したり、取得した情報に基づき情報処理を実行したりすることができる。情報処理装置２００は、制御部２３０と、記憶部２４０と、通信部２５０とを備える。
【００７９】
制御部２３０は、情報処理装置２００の各機能ブロックをはじめとして、情報処理装置２００の全体を制御及び管理する少なくとも１つのプロセッサ２３１を含む。制御部２３０は、制御手順を規定したプログラムを実行するＣＰＵ等の少なくとも１つのプロセッサ２３１を含んで構成され、その機能を実現する。このようなプログラムは、例えば記憶部２４０、又は情報処理装置２００に接続された外部の記憶媒体等に格納される。プロセッサ２３１の具体的な構成として、プロセッサ１３１の説明において列挙したものを使用できる。
【００８０】
記憶部２４０は、半導体メモリ又は磁気メモリ等で構成されることができる。記憶部２４０は、各種情報や情報処理装置２００を動作させるためのプログラム等を記憶する。記憶部２４０は、ワークメモリとしても機能してもよい。記憶部２４０は、測定装置１００から取得した情報を記憶してよい。
【００８１】
通信部２５０は、測定装置１００と通信を行うことにより、各種情報の送受信を行う。通信部２５０は、無線、有線、又は無線と有線との組合せによるネットワークを用いて情報の送受信を行うことができる。通信部２５０は、例えばBluetooth（登録商標）、赤外線、ＮＦＣ、無線ＬＡＮ、有線ＬＡＮ若しくはその他任意の通信媒体又はこれらの任意の組み合わせにより通信を行うことができる。
【００８２】
図６に示すように、本開示が測定システム３００として実現される場合、例えば測定装置１００は、取得した情報及び／又は算出した情報を、情報処理装置２００に送信することができる。取得した情報は、例えば、図５のステップＳ１１で取得した深部体温Ｔ０、ステップＳ１２で取得した環境温度Ｔｅ、ステップＳ１３で取得した血流量Ｑ０、ステップＳ１４で取得した湯温Ｔｗ、ステップＳ１７で取得した体表温度Ｔ、及びステップＳ２０で取得した血流量Ｑの少なくともいずれかを含んでよい。算出した情報は、例えば、図５のステップＳ１５で算出した第１の温度閾値Ｔｓ及びステップＳ１６で算出した血流量閾値Ｑｓの少なくともいずれかを含んでよい。測定装置１００は、例えば図５のステップＳ１８、ステップＳ１９及びステップＳ２１における判定結果に関する情報を、情報処理装置２００に送信してもよい。情報処理装置２００は、測定装置１００から受信した情報を、記憶部２４０に記憶してよい。このとき、情報処理装置２００は、情報の送信元の測定装置１００を特定する情報と対応付けて、測定装置１００から受信した情報を、記憶部２４０に記憶してよい。これにより、情報処理装置２００は、複数の測定装置１００の情報を蓄積することができる。
【００８３】
図６に示すように、本開示が測定システム３００として実現される場合、例えば情報処理装置２００は、上記実施形態において測定装置１００が実行すると説明した処理の少なくとも一部を、実行することができる。例えば、測定装置１００は、図５のステップＳ１１、ステップＳ１２、ステップＳ１３、ステップＳ１４、ステップＳ１７及びステップＳ２０で説明した取得するステップを実行する。測定装置１００は、これらのステップで取得した情報を、情報処理装置２００に送信する。情報処理装置２００は、測定装置１００から取得した情報に基づいて、図５のステップＳ１５、ステップＳ１６、ステップＳ１８、ステップＳ１９及びステップＳ２１で説明した処理を実行することができる。情報処理装置２００は、退浴を推奨するタイミングであると判定したとき、退浴通知を実行させる信号を、測定装置１００に送信する。測定装置１００は、情報処理装置２００から取得した信号に応じて、退浴通知を行う。この場合、図５で説明した処理の一部が情報処理装置２００により実行されるため、測定装置１００による処理負荷が軽減され得る。
【符号の説明】
【００８４】
１００  測定装置
１１０  温度センサ
１１１  体温測定部
１１２  湯温測定部
１２０  血流センサ
１２１  発光部
１２２  受光部
１３０、２３０  制御部
１３１、２３１  プロセッサ
１４０、２４０  記憶部
１５０、２５０  通信部
１６０  入力部
１７０  報知部
１８０  本体
１８１  表面
１８２  裏面
１９０  装着部
２００  情報処理装置
３００  測定システム
Ｑ、Ｑ０  血流量
Ｑｓ  血流量閾値
Ｔ  体表温度
Ｔ０  深部体温
Ｔｅ  環境温度
Ｔｓ  第１の温度閾値
Ｔｄ  第２の温度閾値
Ｔｗ  湯温
【図１】
2019072240.tif 000003
【図２】
2019072240.tif 000004
【図３】
2019072240.tif 000005
【図４】
2019072240.tif 000006
【図５】
2019072240.tif 000007
【図６】
2019072240.tif 000008